(57)【要約】【課題】マルチメディア放送の表示時、特に端末装置における縦画面表示時において、ＢＭＬの表示を利用者の嗜好にあった方法で表示可能な映像表示装置等を提供すること。【解決手段】マルチメディアコンテンツを受信する受信部と、受信されたマルチメディアコンテンツから、映像データと、ＢＭＬコンテンツとを抽出する抽出部と、前記抽出された映像データと、ＢＭＬコンテンツとを表示する表示部と、前記表示部の表示を縦画面表示と横画面表示とを切り替える制御を行う切替部と、前記表示部が、縦画面表示の場合には、ＢＭＬコンテンツの表示形態を設定モードに応じて変更制御する表示制御部と、を備える。【選択図】図３
2014003378.tif 000002
【特許請求の範囲】
【請求項１】
マルチメディアコンテンツを受信する受信部と、
受信されたマルチメディアコンテンツから、映像データと、ＢＭＬ（Broadcast Markup Language）コンテンツとを抽出する抽出部と、
前記抽出された映像データと、ＢＭＬコンテンツとを表示する表示部と、
前記表示部の表示を縦画面表示と横画面表示とを切り替える制御を行う切替部と、
前記表示部が、縦画面表示の場合には、ＢＭＬコンテンツの表示形態を設定モードに応じて変更制御する表示制御部と、
を備えることを特徴とする映像表示装置。
【請求項２】
前記マルチメディアコンテンツには、前記ＢＭＬコンテンツ以外の表示コンテンツが含まれており、
前記表示制御部は、設定モードに応じて、前記映像データと、前記ＢＭＬコンテンツと、前記表示コンテンツとを表示制御することを特徴とする請求項１に記載の映像表示装置。
【請求項３】
前記表示制御部は、前記映像コンテンツと、前記ＢＭＬコンテンツとを重畳して表示する制御を行う請求項１又は２に記載の映像表示装置。
【請求項４】
マルチメディアコンテンツを受信する受信ステップと、
受信されたマルチメディアコンテンツから、映像データと、ＢＭＬ（Broadcast Markup Language）コンテンツとを抽出する抽出ステップと、
前記抽出された映像データと、ＢＭＬコンテンツとを表示する表示ステップと、
前記表示ステップにより表示する表示画面を、縦画面表示と横画面表示とを切り替える制御を行う切替ステップと、
を含み、
前記表示画面が、縦画面表示の場合には、ＢＭＬコンテンツの表示形態を設定モードに応じて変更制御することを特徴とする映像表示方法。
【請求項５】
コンピュータに、
マルチメディアコンテンツを受信する受信機能と、
受信されたマルチメディアコンテンツから、映像データと、ＢＭＬ（Broadcast Markup Language）コンテンツとを抽出する抽出機能と、
前記抽出された映像データと、ＢＭＬコンテンツとを表示する表示機能と、
前記表示機能の表示を縦画面表示と横画面表示とを切り替える制御を行う切替機能と、
前記表示機能が、縦画面表示の場合には、ＢＭＬコンテンツの表示形態を設定モードに応じて変更制御する表示制御機能と、
を実現させるためのプログラム。
【発明の詳細な説明】
【技術分野】
【０００１】
本発明は、映像表示装置等に関する。
【背景技術】
【０００２】
マルチメディア放送を受信し、表示する映像表示装置においては、映像だけでは無く、種々のマルチメディアデータが併せて表示されるのが一般的である。特に、移動体向けマルチメディア放送では、移動可能な受信機を前提とし、地上デジタルテレビジョン放送を通信と組み合わせて拡張することにより、放送時間や利用場所に拘束されることなく、コンテンツやサービスにアクセスできることを実現する（例えば、非特許文献１参照）。
【０００３】
ここで、提供されるコンテンツは、例えばＢＭＬ（Broadcast Markup Language）により記述されている。ＢＭＬで記述されたコンテンツを再生するために、ＢＭＬブラウザというアプリケーションが利用される。
【０００４】
マルチメディア放送では、映像と、ＢＭＬブラウザの表示が併せて表示される。この場合、横画面表示（全画面表示）の場合は映像上に透過処理を行って重畳的に表示させたり、縦画面表示の場合は映像の下に別領域で縦画面表示用のＢＭＬブラウザの表示をさせたりすることが可能である。
【０００５】
ここで、映像表示装置における表示部（表示装置）は通常長方形の形状をしている。このとき、長手方向が水平方向（横方向）となるように表示される状態が横画面表示といい、長手方向が垂直方向（縦方向）となるように表示される状態が縦画面表示という。
【先行技術文献】
【非特許文献】
【０００６】
【非特許文献１】ＡＲＩＢ  ＴＲ−Ｂ３３  1.3版  第一分冊第三編、http://www.arib.or.jp/
【発明の概要】
【発明が解決しようとする課題】
【０００７】
上述したように、縦画面表示の場合、ＢＭＬブラウザの表示を映像と別領域に表示されることが一般的である。しかし、利用者によっては、他の方法でＢＭＬブラウザを表示させたいと考えていても、ＢＭＬ表示のＯＮ／ＯＦＦしか切り替えられないという問題があった。
【０００８】
特に、近年スマートフォンや、タブレット端末を含む携帯型の映像表示装置の場合、表示領域が大型化されている。従来と比較し、縦画面表示における画面の利用方法において、利用者のニーズが多様化しているが、その利用者ニーズに対応できる表示方法が無いという問題があった。
【０００９】
上述した課題に鑑み、本発明は、マルチメディア放送の表示時、特に端末装置における縦画面表示時において、ＢＭＬの表示を利用者の嗜好にあった方法で表示可能な映像表示装置等を提供することである。
【課題を解決するための手段】
【００１０】
上述した課題に鑑み、本発明の映像表示装置は、
マルチメディアコンテンツを受信する受信部と、
受信されたマルチメディアコンテンツから、映像データと、ＢＭＬ（Broadcast Markup Language）コンテンツとを抽出する抽出部と、
前記抽出された映像データと、ＢＭＬコンテンツとを表示する表示部と、
前記表示部の表示を縦画面表示と横画面表示とを切り替える制御を行う切替部と、
前記表示部が、縦画面表示の場合には、ＢＭＬコンテンツの表示形態を設定モードに応じて変更制御する表示制御部と、
を備えることを特徴とする。
【００１１】
本発明の映像表示方法は、
マルチメディアコンテンツを受信する受信ステップと、
受信されたマルチメディアコンテンツから、映像データと、ＢＭＬ（Broadcast Markup Language）コンテンツとを抽出する抽出ステップと、
前記抽出された映像データと、ＢＭＬコンテンツとを表示する表示ステップと、
前記表示ステップにより表示する表示画面を、縦画面表示と横画面表示とを切り替える制御を行う切替ステップと、
を含み、
前記表示画面が、縦画面表示の場合には、ＢＭＬコンテンツの表示形態を設定モードに応じて変更制御することを特徴とする。
【００１２】
本発明のプログラムは、
コンピュータに、
マルチメディアコンテンツを受信する受信機能と、
受信されたマルチメディアコンテンツから、映像データと、ＢＭＬ（Broadcast Markup Language）コンテンツとを抽出する抽出機能と、
前記抽出された映像データと、ＢＭＬコンテンツとを表示する表示機能と、
前記表示機能の表示を縦画面表示と横画面表示とを切り替える制御を行う切替機能と、
前記表示機能が、縦画面表示の場合には、ＢＭＬコンテンツの表示形態を設定モードに応じて変更制御する表示制御機能と、
を実現させることを特徴としている。
【発明の効果】
【００１３】
本発明によれば、受信されたマルチメディアコンテンツから、映像データと、ＢＭＬ（Broadcast Markup Language）コンテンツとを抽出し、抽出された映像データと、ＢＭＬコンテンツとを表示する。このとき、表示されたコンテンツが縦画面表示の場合には、ＢＭＬコンテンツの表示形態を設定モードに応じて変更制御する。これにより、利用者によって所望に応じた設定モードが設定されることにより、柔軟にＢＭＬ表示の表示態様を変更することが可能となる。
【図面の簡単な説明】
【００１４】
【図１】本実施形態における全体を説明するための概略図である。
【図２】本実施形態における映像表示装置（携帯電話）の機能構成図である。
【図３】本実施形態における処理を説明するための動作フローである。
【図４】本実施形態における処理を説明するための動作フローである。
【図５】本実施形態における動作例を説明するための画面図である。
【図６】本実施形態における動作例を説明するための画面図である。
【図７】本実施形態における動作例を説明するための画面図である。
【図８】本実施形態における動作例を説明するための画面図である。
【図９】本実施形態における動作例を説明するための画面図である。
【図１０】本実施形態における動作例を説明するための画面図である。
【図１１】本実施形態における動作例を説明するための画面図である。
【発明を実施するための形態】
【００１５】
続いて、本発明を適用した場合の映像表示装置について説明する。本実施形態では、映像表示装置としての機能を含む携帯電話（多機能電話）を例にとって説明する。なお、本実施形態は発明を理解するための一例であり、本発明が実施形態に限定されて適用されるものではない。
【００１６】
［１．全体構成］
まず、システムの全体構成について、説明する。図１は、システム１の全体を示す図である。映像表示装置の機能を有する携帯電話１０が、放送局２０からマルチメディア放送（例えば、ＩＳＤＢ−Ｔｍｍ方式によるマルチメディア放送）を受信し、デコードすることによりマルチメディア放送を表示することができる。
【００１７】
［２．機能構成］
続いて、携帯電話１０の機能構成について、図２を用いて説明する。図２に示すように、携帯電話１０は、制御部１００と、チューナ部２００と、ＤＥＭＵＸ部３００と、デコード部４００と、ＤＳＭＣＣ部５００と、ＢＭＬブラウザ部５５０と、記憶部６００と、携帯電話機能部７００と、センサ部８００と、操作部８５０と、表示部９００と、音出力部９５０とが含まれている。
【００１８】
制御部１００は、携帯電話１０の全体を制御するための機能部である。制御部１００は、記憶部６００に記憶されている各種プログラムを読み出して実行することにより各種機能を実現しており、例えばＣＰＵ（Central Process Unit）等により構成されている。
【００１９】
チューナ部２００は、接続されているアンテナ２５０を介して、例えば放送局２０にある配信装置と通信を行う為の機能部である。受信した放送波を復調可能な周波数にダウンコンバートする。そして、ダウンコンバートされた放送波を、ＤＥＭＵＸ部３００に出力する。
【００２０】
ＤＥＭＵＸ部３００は、チューナ部２００により入力される放送波を、分離する機能部である。例えば、映像信号、音声信号、データ放送に分離出力される。そして、映像信号及び音声信号はデコード部４００に、データ放送はＤＳＭＣＣ部５００を経由してＢＭＬブラウザ部５５０に出力される。
【００２１】
デコード部４００は、入力された信号からデータを復号し、出力するための機能部である。例えば、映像信号は、映像デコード部４１０によりデコードされ、映像データとして出力される。音声信号は、音声デコード部４２０によりデコードされ、音声データとして出力される。
【００２２】
ＤＳＭＣＣ部５００は、ＤＥＭＵＸ部３００にて分離されたＢＭＬ（Broadcast Markup Language）記述のデータ放送の構築を行う機能部である。また、ＢＭＬブラウザ部５５０はＤＳＭＣＣ部５００で構築されたＢＭＬ文書の表示や制御等を行う機能部である。
【００２３】
記憶部６００は、携帯電話１０の動作に必要な各種プログラムや、各種データが記憶されている機能部である。記憶部６００は、例えば、半導体メモリや、ＨＤＤ（Hard Disk Drive）等により構成されている。
【００２４】
また、記憶部６００には、モード設定情報６１０が記憶されている。モード設定情報６１０は、携帯電話１０の現在設定されているモードが記憶されており、例えばモード１からモード７の何れかが記憶されている。
【００２５】
ここで、本実施形態における設定されるモードについて説明する。本実施形態では、ＢＭＬ表示についての設定モードを記憶していることとする。例えば、
モード１：通常表示
モード２：ＢＭＬ表示  ＯＦＦ
モード３：縦画面表示時  ＢＭＬ表示  ＯＦＦ
モード４：縦画面表示時  ＢＭＬ・メニュー混在表示
モード５：縦画面表示時  ＢＭＬ・映像重ね合わせ表示（標準）
モード６：縦画面表示時  ＢＭＬ・映像重ね合わせ表示（映像優先）
モード７：縦画面表示時  ＢＭＬ・映像重ね合わせ表示（ＢＭＬ優先）
といったそれぞれのモードを利用者が設定することができる。
【００２６】
携帯電話機能部７００は、携帯電話１０が、携帯電話機能として実現されるための各種処理部を包括した機能部である。例えば携帯基地局と通信可能な携帯通信機能や、利用者の音声をエンコード・デコードする機能等を有している。携帯電話としては、例えば３ＧＰＰを利用したものであったり、ＬＴＥを利用したりであったりと、何れかの通信方式を利用して従来の携帯電話の機能が実現できれば良い。
【００２７】
センサ部８００は、携帯電話１０の状態を検出するための機能部である。本実施形態においては、携帯電話１０が横方向（横状態）であるか、縦方向（縦状態）であるかを検出する。そして、携帯電話１０が横方向であれば、表示部９００を横画面表示（すなわち、表示部９００の水平方向の解像度が、垂直方向と比較して大きくなる）とする。また、携帯電話１０が縦方向であれば、表示部９００を縦画面表示（すなわち、表示部９００の垂直方向の解像度が、水平方向と比較して大きくなる）とする。
【００２８】
センサ部８００としては、携帯電話１０の状態が検出可能なセンサ、例えば重力センサや、加速度センサ等を利用して実現されている。
【００２９】
なお、横画面表示と縦画面表示との切り替えは、センサ部８００により検出される端末の状態に連動するものであってもよいし、利用者が任意に設定出来ることとしてもよい。また、アプリケーション毎に縦画面表示にするか否かを設定することとしても良い。
【００３０】
操作部８５０は、利用者からの操作入力を受け付けるための機能部である。例えば、表示装置上に表示されるソフトキーであったり、ハードウェアキー、リモコン等により構成されていたりする。
【００３１】
表示部９００は、デコード部４００（映像デコード部４１０）から出力される映像や、ＢＭＬブラウザ部５５０から出力される各種情報等を出力するための機能部である。例えば、ＬＣＤや、有機ＥＬパネル等により構成されている。
【００３２】
音出力部９５０は、デコード部４００（音声デコード部４２０）から出力される音を出力するための機能部である。例えば、スピーカ等により構成されている。また、外部に接続された音出力装置（外部スピーカ、ヘッドフォン、イヤホン等）により出力されても良い。
【００３３】
［３．処理の流れ］
続いて処理の流れについて、図３、図４のフローチャートを用いて説明する。
【００３４】
まず、図３において、起動処理を実行した後（ステップＳ１０２）、端末の方向を取得する（ステップＳ１０４）。すなわち、センサ部８００により、携帯電話１０の端末が縦方向か、横方向かを取得する。
【００３５】
そして、端末の方向が縦方向である場合は、ステップＳ１０８に処理が遷移し（ステップＳ１０６：Ｙｅｓ）、端末の方向が横方向である場合は、図４のステップＳ１５２に処理が遷移する（ステップＳ１０６；Ｎｏ）。
【００３６】
なお、本実施形態では、携帯電話１０の端末装置自体が縦方向か横方向かを検出し、それに応じて処理を実行している。しかし、例えば利用者の設定により縦画面表示・横画面表示とされている場合も同様にステップＳ１０６の処理を実行する。この場合、利用者の設定により縦画面表示に設定されている場合はステップＳ１０６から処理が実行され、利用者の設定により横画面表示に設定されている場合はステップＳ１５２から処理が実行される。
【００３７】
まず、端末の方向が縦方向の場合について説明する。端末の方向が縦方向の場合、表示部９００に出力される画面は縦画面表示（水平方向と比較し、垂直方向の方が解像度が大きい表示）となる（ステップＳ１０８）。
【００３８】
次に、モード設定情報６１０を確認する。そして、モード設定情報６１０に設定されているモード設定に応じて、表示形態を変更する。
【００３９】
まず、設定モードが「モード１」であるか否かを判定する（ステップＳ１１０）。設定モードが「モード１」である場合には、通常表示に切替表示を行う（ステップＳ１１０：Ｙｅｓ→ステップＳ１１２）。
【００４０】
次に、設定モードが「モード２」又は「モード３」であるか否かを判定する（ステップＳ１１０；Ｎｏ→ステップＳ１１４）。ここで、設定モードが「モード２」又は「モード３」の場合には、ＢＭＬを非表示にし、映像のみを表示する（ステップ１１４；Ｙｅｓ→ステップＳ１１６）。
【００４１】
次に、設定モードが「モード４」であるか否かを判定する（ステップＳ１１４；Ｎｏ→ステップＳ１１８）。ここで、設定モードが「モード４」の場合には、ＢＭＬとメニュー表示とを混在表示として表示する（ステップＳ１１８；Ｙｅｓ→ステップＳ１２０）。
【００４２】
次に、設定モードが「モード５」であるか否かを判定する（ステップＳ１１８；Ｎｏ→ステップＳ１２２）。ここで、設定モードが「モード５」の場合には、ＢＭＬと映像とを重ね合わせて表示する（ステップＳ１２２；Ｙｅｓ→ステップＳ１２４）。ここで、ＢＭＬと映像との重ね合わせ表示は、標準的な透過度（濃度）で行うこととする。
【００４３】
次に、設定モードが「モード６」であるか否かを判定する（ステップＳ１２２；Ｎｏ→ステップＳ１２６）。ここで、設定モードが「モード６」の場合には、ＢＭＬと映像とを重ね合わせて表示する（ステップＳ１２６：Ｙｅｓ→ステップＳ１２８）。ここで、ＢＭＬと映像との重ね合わせ表示は、映像優先の透過度（濃度）で行うこととする。
【００４４】
また、設定モードが「モード７」の場合には、ＢＭＬと映像とを重ね合わせて表示する（ステップＳ１２６：Ｎｏ→ステップＳ１３０）。ここで、ＢＭＬと映像との重ね合わせ表示は、ＢＭＬ優先の透過度（濃度）で行うこととする。
【００４５】
ステップＳ１０６に戻り、端末が横方向の場合（ステップＳ１０６；Ｎｏ）、図４の処理を実行する。まず、横画面表示を行い（ステップＳ１５２）、設定モードが「モード２」か否かを判定する（ステップＳ１５４）。ここで、設定モードが「モード２」の場合には、ＢＭＬ表示を行わないようにする（ステップＳ１５４；Ｙｅｓ→ステップＳ１５６）。
【００４６】
他方、設定モードが「モード１」であったり、それ以外の設定モードの場合には、通常の表示状態とする（ステップＳ１５４；Ｎｏ→ステップＳ１５８）。
【００４７】
［４．動作例］
続いて、上述した処理の動作例について、表示画面の例を用いて説明する。図５は、横画面表示における通常表示の状態を示す表示画面Ｗ１００の一例である。表示画面Ｗ１００には、ＢＭＬ表示が重畳して表示されている。すなわち、横画面表示におけるモード１（モード２以外）の場合である。
【００４８】
図６は、縦画面表示におけるモード１、すなわち通常表示の状態を示す表示画面Ｗ１１０の一例である。表示画面Ｗ１１０では、映像が上側に表示されており、下側にＢＭＬ表示がされている。すなわち、映像とＢＭＬ表示とが別領域にて表示されている。
【００４９】
図７は、縦画面表示におけるモード２（モード３）、すなわちＢＭＬ表示を行わない状態を示す表示画面Ｗ１２０の一例である。この場合、ＢＭＬ表示はされず、映像のみが表示されることとなる。なお、図７に示すように例えば別領域に他の情報（例えば番組情報や電子番組表、広告表示等）を行っても良い。
【００５０】
図８は、縦画面表示におけるモード４、すなわちＢＭＬ表示とＢＭＬ以外の表示コンテンツ（例えば、メニュー表示のコンテンツ）とが混在して表示される場合の表示画面Ｗ１３０の一例である。映像と、ＢＭＬ表示と、表示コンテンツとしてのメニュー（各種情報表示や、選択メニュー表示）とが、混在して表示（並列に表示）されている。
【００５１】
図９から図１１は、モード５〜７に対応する表示画面の一例である。すなわち、映像とＢＭＬ表示とが重畳して表示されている。このとき、ＢＭＬ表示の透過状態により、モードを分けている。図９は、モード５における表示画面Ｗ１４０の一例であり、ＢＭＬ表示が標準状態で映像に重畳して表示されている。
【００５２】
また、図１０は、モード６における表示画面Ｗ１５０の一例であり、ＢＭＬ表示と映像とでは、映像が優先して表示されている。また、図１１は、モード７における表示画面Ｗ１６０の一例であり、ＢＭＬ表示と映像とでは、ＢＭＬ表示が優先して表示されている。
【００５３】
このように、本実施形態によれば、映像表示装置（携帯電話１０）の表示画面が縦画面表示の場合に、映像と、ＢＭＬ表示とを種々の方法で表示させることが可能となる。これにより、利用者は、嗜好に合った表示方法を選択させることが可能となり、利便性の高い映像表示装置を提供することが可能となる。
【００５４】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００５５】
また、上述した実施形態では、モード毎にＢＭＬ表示の制御を行っているが、設定情報を用いて行っても良い。例えば、ＢＭＬを映像に重畳表示「する」「しない」、透過率を設定する、ＢＭＬの表示位置を記憶するといった各種設定情報を利用者が設定し、当該設定情報に基づいてＢＭＬの表示位置を決定するということとしても良い。
【００５６】
また、上述した実施形態では、モード設定情報は利用者が設定することとしているが、例えばコンテンツ提供者側が設定することとしても良い。すなわち、マルチメディア放送にモード情報を含めて送信し、携帯電話１０は当該モード情報に基づいてＢＭＬ表示の制御を行うこととしても良い。
【００５７】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００５８】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００５９】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００６０】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【００６１】
１        ：システム
１０      ：携帯電話
２０      ：放送局
１００    ：制御部
２００    ：チューナ部
２５０    ：アンテナ
３００    ：ＤＥＭＵＸ部
４００    ：デコード部
４１０    ：映像デコード部
４２０    ：音声デコード部
５００    ：ＤＳＭＣＣ部
５５０    ：ＢＭＬブラウザ部
６００    ：記憶部
６１０    ：モード設定情報
７００    ：携帯電話機能部
８００    ：センサ部
８５０    ：操作部
９００    ：表示部
９５０    ：音出力部
【図１】
2014003378.tif 000003
【図２】
2014003378.tif 000004
【図３】
2014003378.tif 000005
【図４】
2014003378.tif 000006
【図５】
2014003378.tif 000007
【図６】
2014003378.tif 000008
【図７】
2014003378.tif 000009
【図８】
2014003378.tif 000010
【図９】
2014003378.tif 000011
【図１０】
2014003378.tif 000012
【図１１】
2014003378.tif 000013